(57)【要約】  ルールが、測定すべき少なくとも１つのサブフレームを示す測定構成と、レポートを行うべき少なくとも１つのサブフレームを示すレポート構成との間のタイミング関係を指定する。このルールを、ユーザ装置ＵＥ及びネットワークの両方が使用して、チャネル状態情報が測定されるダウンリンクサブフレームと、チャネル状態情報のレポートが行われるアップリンクサブフレームとの間のマッピングを行う。ネットワークは、専用シグナリング又は同報を介した測定構成及びレポート構成でＵＥを構成することができる。測定構成が周期的なものであり、測定すべきダウンリンクサブフレームを複数示す場合、このルールが、ダウンリンクからアップリンクサブフレームへの１対１のマッピングを生じ、複数のダウンリンクサブフレームの一部がアップリンクサブフレームにマッピングされ、非周期的なものである場合には、このルールが、測定すべき単一のダウンリンクサブフレームを示す。【選択図】図３Ｂ
2013545341.tif 000002
【特許請求の範囲】
【請求項１】
測定すべき少なくとも１つのサブフレームを示す測定構成と、レポートを行うべき少なくとも１つのサブフレームを示すレポート構成との間のタイミング関係を指定するルールをローカルメモリに記憶するステップと、
前記ルールを使用して、チャネル状態情報が測定されるダウンリンクサブフレームと、前記チャネル状態情報のレポートが行われるアップリンクサブフレームとの間のマッピングを行うステップと、
を含むことを特徴とする方法。
【請求項２】
前記測定構成及び前記レポート構成が、無線シグナリングを使用してユーザ装置のために構成される、
ことを特徴とする請求項１に記載の方法。
【請求項３】
少なくとも前記測定構成が、専用無線シグナリングを介して前記ユーザ装置のために構成される、
ことを特徴とする請求項２に記載の方法。
【請求項４】
少なくとも前記測定構成が、同報シグナリングを介して前記ユーザ装置のために構成される、
ことを特徴とする請求項２に記載の方法。
【請求項５】
前記シグナリングされる測定構成が、複数のサブフレームのうちのどのサブフレームが前記測定すべき少なくとも１つのサブフレームであるかを示すビットマップを含む、
ことを特徴とする請求項２に記載の方法。
【請求項６】
少なくとも前記測定構成が、周期的であるとともに、測定すべき複数のダウンリンクサブフレームを示し、
前記ルールを使用して、前記ダウンリンクサブフレームと前記アップリンクサブフレームの間のマッピングを行うことにより、１つのダウンリンクサブフレーム対１つのアップリンクサブフレームという１対１のマッピングが生じ、前記複数のダウンリンクサブフレームの一部がアップリンクサブフレームにマッピングされる、
ことを特徴とする請求項１に記載の方法。
【請求項７】
少なくとも前記測定構成が、非周期的であるとともに、測定すべき単一のダウンリンクサブフレームを示す、
ことを特徴とする請求項１に記載の方法。
【請求項８】
前記方法が、前記測定構成及び前記レポート構成をユーザ装置に送信するネットワークアクセスノードによって実行され、
前記ルールの使用が、前記ユーザ装置から前記チャネル状態情報が受け取られるアップリンクサブフレームと、前記測定構成によって示されるダウンリンクサブフレームとの間のマッピングを行うステップを含む、
ことを特徴とする請求項１から７のいずれか１項に記載の方法。
【請求項９】
前記方法が、前記測定構成及び前記レポート構成をネットワークから受け取るユーザ装置によって実行され、
前記ルールの使用が、前記測定構成によって示される、前記ユーザ装置がチャネル状態情報を測定するダウンリンクサブフレームと、前記測定したチャネル状態情報を前記ユーザ装置が前記ネットワークにレポートするアップリンクサブフレームとの間のマッピングを行うステップを含む、
ことを特徴とする請求項１から７のいずれか１項に記載の方法。
【請求項１０】
少なくとも１つのプロセッサと、
少なくとも１つのメモリと、
を備えた装置であって、前記少なくとも１つのメモリは、コンピュータプログラムコードと、測定すべき少なくとも１つのサブフレームを示す測定構成とレポートを行うべき少なくとも１つのサブフレームを示すレポート構成との間のタイミング関係を指定するルールとを含み、
前記少なくとも１つのメモリ及び前記コンピュータプログラムコードが、前記少なくとも１つのプロセッサにより、前記装置に、
前記ルールを使用して、チャネル状態情報が測定されるダウンリンクサブフレームと、前記チャネル状態情報のレポートが行われるアップリンクサブフレームとの間のマッピングを行うステップを少なくとも実行させるように構成される、
ことを特徴とする装置。
【請求項１１】
前記測定構成及び前記レポート構成が、無線シグナリングを使用してユーザ装置のために構成される、
ことを特徴とする請求項１０に記載の装置。
【請求項１２】
少なくとも前記測定構成が、専用無線シグナリングを介して前記ユーザ装置のために構成される、
ことを特徴とする請求項１１に記載の装置。
【請求項１３】
少なくとも前記測定構成が、同報シグナリングを介して前記ユーザ装置のために構成される、
ことを特徴とする請求項１１に記載の装置。
【請求項１４】
前記シグナリングされる測定構成が、複数のサブフレームのうちのどのサブフレームが前記測定すべき少なくとも１つのサブフレームであるかを示すビットマップを含む、
ことを特徴とする請求項１１に記載の装置。
【請求項１５】
少なくとも前記測定構成が、周期的であるとともに、測定すべき複数のダウンリンクサブフレームを示し、
前記ルールを使用して、前記ダウンリンクサブフレームと前記アップリンクサブフレームの間のマッピングを行うことにより、１つのダウンリンクサブフレーム対１つのアップリンクサブフレームという１対１のマッピングが生じ、前記複数のダウンリンクサブフレームの一部がアップリンクサブフレームにマッピングされる、
ことを特徴とする請求項１０に記載の装置。
【請求項１６】
少なくとも前記測定構成が、非周期的であるとともに、測定すべき単一のダウンリンクサブフレームを示す、
ことを特徴とする請求項１１に記載の装置。
【請求項１７】
前記装置が、前記測定構成及び前記レポート構成をユーザ装置に送信するように構成されたネットワークアクセスノードを含み、
前記ルールの使用が、前記ユーザ装置から前記チャネル状態情報が受け取られるアップリンクサブフレームと、前記測定構成によって示されるダウンリンクサブフレームとの間のマッピングを行うステップを含む、
ことを特徴とする請求項１０から１６のいずれか１項に記載の装置。
【請求項１８】
前記装置が、前記測定構成及び前記レポート構成をネットワークから受け取るユーザ装置を含み、
前記ルールの使用が、前記測定構成によって示される、前記ユーザ装置がチャネル状態情報を測定するダウンリンクサブフレームと、前記測定したチャネル状態情報を前記ユーザ装置が前記ネットワークにレポートするアップリンクサブフレームとの間のマッピングを行うステップを含む、
ことを特徴とする請求項１０から１６のいずれか１項に記載の装置。
【請求項１９】
測定すべき少なくとも１つのサブフレームを示す測定構成と、レポートを行うべき少なくとも１つのサブフレームを示すレポート構成との間のタイミング関係を指定するルールを記憶するとともに、プロセッサによる実行時に、前記ルールを使用して、チャネル状態情報が測定されるダウンリンクサブフレームと、前記チャネル状態情報のレポートが行われるアップリンクサブフレームとの間のマッピングを行うステップを含む動作を生じるコンピュータ可読命令のプログラムを記憶する、
ことを特徴とするコンピュータ可読メモリ。
【請求項２０】
前記測定構成及び前記レポート構成が、無線シグナリングを使用してユーザ装置のために構成される、
ことを特徴とする請求項１９に記載のコンピュータ可読メモリ。
【請求項２１】
測定すべき少なくとも１つのサブフレームを示す測定構成と、レポートを行うべき少なくとも１つのサブフレームを示すレポート構成との間のタイミング関係を指定するルールを記憶するための記憶手段と、
前記ルールを使用して、チャネル状態情報が測定されるダウンリンクサブフレームと、前記チャネル状態情報のレポートが行われるアップリンクサブフレームとの間のマッピングを行うための処理手段と、
を備えることを特徴とする装置。
【発明の詳細な説明】
【技術分野】
【０００１】
本発明の例示的かつ非限定的な実施形態は、一般に、無線通信システム、方法、装置及びコンピュータプログラムに関し、より具体的には、チャネル品質／チャネル状態の測定及びレポートに関する。
【背景技術】
【０００２】
本明細書では、以下の略語を定義する。
３ＧＰＰ  第３世代パートナーシッププロジェクト
ＣＳＧ  限定加入者グループ
ＣＳＩ  チャネル状態情報
ＤＬ  ダウンリンク
ｅＮＢ  （ＬＴＥシステムの）進化型ノードＢ
ｅＩＣＩＣ  高度セル間干渉協調
Ｅ−ＵＴＲＡＮ  進化型ＵＴＲＡＮ（ＬＴＥ又は３．９Ｇ）
ＨＡＲＱ  ハイブリッド自動再送要求
ＨｅＮＢ  ホームｅＮＢ（基地局）
ＬＴＥ  ３ＧＰＰのロングタームエボリューション
ＬＴＥ−Ａ  ロングタームエボリューション・アドバンスト
Ｎｏｄｅ  Ｂ  基地局又は同様のネットワークアクセスノード
ＰＤＣＣＨ  物理ダウンリンク制御チャネル
ＲＲＣ  無線リソース制御
ＴＤＭ  時間領域多重（又は時分割多元接続）
ＵＥ  ユーザ装置（例えば、移動体装置／局）
ＵＬ  アップリンク
ＵＭＴＳ  ユニバーサル移動体電気通信システム
ＵＴＲＡＮ  ＵＭＴＳ地上波無線アクセスネットワーク
【０００３】
無線スペクトルの利用が徹底的なものになるにつれ、異なる無線ネットワーク間における地理的重複が広がってきている。一例として、ＬＴＥシステム（及びＬＴＥ−Ａ）では、従来のすなわちマクロセルのサービスエリアが、限定加入者グループＣＳＧにサービスを提供するホームネットワークのサービスエリアと全体的又は部分的に重複する。図１に示すこのような重複の一例では、マクロ基地局がｅＮＢ１２であり、ホーム基地局がＨｅＮＢ１３である。３つの移動体装置を示しており、ＵＥ１０−１及び１０−３はｅＮＢ１２の制御下にあり、ＵＥ１０−２はＨｅＮＢ１３の制御下にある。ＨｅＮＢ１３の点線のサービスエリアを、ｅＮＢ１２のサービスエリア（図１全体）内に完全に含まれた形で示しているが、展開によっては部分的な重複しか示されないこともあると認識されるであろう。さらに、本明細書で使用するｅＮＢという用語はマクロアクセスノードを意味し、ホームアクセスノードと区別するために、後者についてはそのように明記する。
【０００４】
ＬＴＥシステムにおけるＨｅＮＢの特定の配置、並びにその他の無線技術における同様に重複するセルでは無線チャネルが共有され、これにより近接して位置する異なる無線機からの様々なＵＬ及びＤＬ信号間に同一チャネル干渉が生じることがある。ＬＴＥ及びＬＴＥ−Ａには、セル間の同一チャネル干渉を低減するためにｅＮＢとＨｅＮＢの間に適用される時間領域（ＴＤＭ）高度セル間干渉協調（ｅＩＣＩＣ）が存在する。このような場合には、様々なＵＥがそれぞれのアクセスノードにＵＬでレポートするチャネル状態情報（ＣＳＩ）を最適化し、これにより上述のＴＤＭ  ｅＩＣＩＣを最適化できるようにすることも有益である。
【０００５】
ＬＴＥ（及びＬＴＥ−Ａ）のＴＤＭ  ｅＩＣＩＣの概念は、ＨｅＮＢ１３が全てのＤＬサブフレームの一部でしか送信を行えないようにするという命題に基礎を置くものである。図２は、この原理の例を与えるｅＮＢ及びＨｅＮＢのＤＬサブフレームのテーブルである。ｅＮＢは、送信を行えるＤＬサブフレームに制限がなく、図２のマクロレイヤの全てのＤＬサブフレームに斜線を施すことによってこのことを示している。ＨｅＮＢには制限があり、図２のＨｅＮＢレイヤの斜線を施したＤＬサブフレームの一部、具体的にはサブフレーム１〜４でしか送信を行うことができない。図２では、ＨｅＮＢレイヤのサブフレーム５〜８には斜線が施されておらず、すなわちこれらのサブフレームはほとんど空白である。本文脈では、「ほとんど空白」とは、ＨｅＮＢからの伝送がほとんどなく、その伝送が非常に制限されている場合のことを意味する（例えば、これらのＤＬサブフレームでは、単一周波数マルチメディアブロードキャスト（ＭＢＳＦＮ）が可能である）。概念上、ＨｅＮＢに近接する（ｅＮＢの制御下にあり、恐らくはＣＳＧ  ＨｅＮＢに接続できない）マクロＵＥは、ＨｅＮＢからのほとんど空白のサブフレームを含む期間中にスケジュールされなければならない。一例として、このことは、ｅＮＢ１２がサブフレーム５〜８のいずれかにおいてＵＥ１０−１をスケジュールし、これによりＵＥのＤＬ信号が過度に高い干渉を受けるのを避けるべきであることを意味する。ｅＮＢ１２は、他のサブフレームにおいてＵＥ１０−３などの他のマクロＵＥをスケジュールすることもできる。
【０００６】
ＴＤＭ  ｅＩＣＩＣが正しく機能するように、一般には、ＨｅＮＢがいずれのサブフレームでミュートされるかをｅＮＢが知っているものと想定される。３ＧＰＰの討議では、どのサブフレームがほとんど空白であるか（従って、ＨｅＮＢが利用可能な状態にあるか）をｅＮＢがそのＵＥにシグナリングするという提案も行われた。
【０００７】
ｅＩＣＩＣの概念は、いくつかの未解決の問題を引き起こしている。第１に、図１のＵＥ１０−１などの、許可されていないＣＳＧ  ＨｅＮＢに近接して動作しているマクロＵＥでは、このＵＥがそのｅＮＢ１２にＵＬでレポートするＣＳＩが、レポートされるＣＳＩがＨｅＮＢからのほとんど空白のサブフレームの期間中に測定されたものであるか、それとも他のサブフレームにおいて測定されたものであるかによって著しく異なるようになる。第２に、一般にｅＮＢ１２は、その制御下にあるＵＥの正確な位置を認識しておらず、従って上記の例で示したＵＥ１０−１のスケジューリングを採用するには、参加が許可されていない何らかのＣＳＧ  ＨｅＮＢ１３にＵＥが近接しているか否かを判断するために、ｅＮＢ１２がＵＥの地理的位置を推定しなければならない。
【０００８】
ＴＤＭ  ｅＩＣＩＣのためのＣＳＩに関し、３ＧＰＰに対して行われた提案がいくつかある。Ｑｕａｌｃｏｍｍ社による「ＨｅｔＮｅｔにおける改善された動作のための測定及びフィードバック拡張（Ｍｅａｓｕｒｅｍｅｎｔｓ  ａｎｄ  ｆｅｅｄｂａｃｋ  ｅｘｔｅｎｓｉｏｎｓ  ｆｏｒ  ｉｍｐｒｏｖｅｄ  ｏｐｅｒａｔｉｏｎｓ  ｉｎ  ＨｅｔＮｅｔｓ）」という名称の文献Ｒ１−１０２３５３（３ＧＰＰ  ＴＳＧ−ＲＡＮ  ＷＧ１  ＃６０の２、２０１０年４月１２〜１６日、中国、北京）では、ネットワークがシグナリングを行うサブフレームの組においてＵＥが測定を行うこと、及びチャネルフィードバックを単一のサブフレームに制限することが提案されている。使用中のＴＤＭ  ｅＩＣＩＣに対してより直接的に対応する優れたフィードバック精度を実現するように、フィードバック測定を（例えば、通常の又はほとんど空白の）いくつかの特定のサブフレームに制限することが意図されている。この提案は、３ＧＰＰ  ＴＳ３６．２１３  ｖ９．２．０（２０１０年６月）に規定されるＬＴＥ  ＲＥｌ−８／９のＣＳＩ方式に従うように思われる。具体的には、ＣＳＩの参照リソースを常に単一のサブフレームとし、このＣＳＩを、測定されたサブフレームから一定の距離を置くＵＬサブフレームでレポートし、一般的なＨＡＲＱタイミングに従わせる（すなわち、サブフレームｎで測定されたＣＳＩを、ＵＬサブフレームｎ＋４で伝送する）。
【０００９】
Ｈｕａｗｅｉによる「高度ＩＣＩＣ及びリソース固有のＣＱＩ測定（Ｅｎｈａｎｃｅｄ  ＩＣＩＣ  ａｎｄ  Ｒｅｓｏｕｒｃｅ−Ｓｐｅｃｉｆｉｃ  ＣＱＩ  Ｍｅａｓｕｒｅｍｅｎｔ）」という名称の文献Ｒ１−１０１９８１（３ＧＰＰ  ＴＳＧ−ＲＡＮ  ＷＧ１  ＃６０の２、２０１０年４月１２−１６日、中国、北京）では、ネットワーク展開モデル（例えば、ＨｅｔＮｅｔ）に応じてＣＱＩの平均化を何らかの特定のサブフレームに制限する時間／リソース固有のＣＳＩ測定が検討されている。実際には、この平均化は、複数のサブフレームに関して測定をバッファする必要があるため、バッテリ消費量が増えるとともにメモリ処理が複雑になるので、ＵＥにとっては極めて問題があるように思われる。
【先行技術文献】
【非特許文献】
【００１０】
【非特許文献１】Ｒ１−１０２３５３「ＨｅｔＮｅｔにおける改善された動作のための測定及びフィードバック拡張（Ｍｅａｓｕｒｅｍｅｎｔｓ  ａｎｄ  ｆｅｅｄｂａｃｋ  ｅｘｔｅｎｓｉｏｎｓ  ｆｏｒ  ｉｍｐｒｏｖｅｄ  ｏｐｅｒａｔｉｏｎｓ  ｉｎ  ＨｅｔＮｅｔｓ）」
【非特許文献２】３ＧＰＰ  ＴＳ３６．２１３  ｖ９．２．０（２０１０年６月）
【非特許文献３】Ｒ１−１０１９８１「高度ＩＣＩＣ及びリソース固有のＣＱＩ測定（Ｅｎｈａｎｃｅｄ  ＩＣＩＣ  ａｎｄ  Ｒｅｓｏｕｒｃｅ−Ｓｐｅｃｉｆｉｃ  ＣＱＩ  Ｍｅａｓｕｒｅｍｅｎｔ）」
【発明の概要】
【課題を解決するための手段】
【００１１】
本発明の第１の例示的な態様では、測定すべき少なくとも１つのサブフレームを示す測定構成と、レポートを行うべき少なくとも１つのサブフレームを示すレポート構成との間のタイミング関係を指定するルールをローカルメモリに記憶するステップと、このルールを使用して、チャネル状態情報が測定されるダウンリンクサブフレームと、チャネル状態情報のレポートが行われるアップリンクサブフレームとの間のマッピングを行うステップとを含む方法を提供する。
【００１２】
本発明の第２の例示的な態様では、少なくとも１つのプロセッサと、少なくとも１つのメモリとを備えた装置を提供する。少なくとも１つのメモリは、コンピュータプログラムコードと、測定すべき少なくとも１つのサブフレームを示す測定構成とレポートを行うべき少なくとも１つのサブフレームを示すレポート構成との間のタイミング関係を指定するルールとを含む。この少なくとも１つのメモリ及びコンピュータプログラムコードは、少なくとも１つのプロセッサにより、装置に、上記ルールを使用して、チャネル状態情報が測定されるダウンリンクサブフレームと、チャネル状態情報のレポートが行われるアップリンクサブフレームとの間のマッピングを行うステップを少なくとも実行させるように構成される。
【００１３】
本発明の第３の例示的な態様では、測定すべき少なくとも１つのサブフレームを示す測定構成と、レポートを行うべき少なくとも１つのサブフレームを示すレポート構成との間のタイミング関係を指定するルールを記憶するコンピュータ可読メモリを提供する。このコンピュータ可読メモリは、プロセッサによる実行時に、上記ルールを使用して、チャネル状態情報が測定されるダウンリンクサブフレームと、チャネル状態情報のレポートが行われるアップリンクサブフレームとの間のマッピングを行うステップを含む動作を生じるコンピュータ可読命令のプログラムも記憶する。
【００１４】
本発明の第４の例示的な態様では、記憶手段及び処理手段を備えた装置を提供する。記憶手段は、測定すべき少なくとも１つのサブフレームを示す測定構成と、レポートを行うべき少なくとも１つのサブフレームを示すレポート構成との間のタイミング関係を指定するルールを記憶するためのものである。処理手段は、このルールを使用して、チャネル状態情報が測定されるダウンリンクサブフレームと、チャネル状態情報のレポートが行われるアップリンクサブフレームとの間のマッピングを行うためのものである。
【００１５】
以下の詳細の説明を添付図面の図と併せて読めば、本発明の例示的な実施形態の上述の及びその他の態様がより明らかになる。
【図面の簡単な説明】
【００１６】
【図１】マクロｅＮＢセル及びＣＳＧホームｅＮＢセルが同一チャネル干渉を受ける、本発明の例示的な実施形態を有利に実施できる環境を示す概略図である。
【図２】マクロｅＮＢセル及びＣＳＧホームｅＮＢセルのダウンリンクサブフレームの、本発明のいくつかの例示的な実施形態に関連するセル間干渉緩和スキームを示すタイミング図である。
【図３Ａ−Ｂ】図３Ａは、ＬＴＥリリース８で規定された、ＣＳＩに関するサブフレームを示すタイミング図である。図３Ｂは、本発明の例示的な実施形態による、ＣＳＩが測定されるＤＬサブフレーム及び測定されたＣＳＩがレポートされるＵＬサブフレームを示すタイミング図である。
【図４】本発明の例示的な実施形態の実施において使用するのに適した様々な電子装置の簡略ブロック図である。
【図５】本発明の例示的な実施形態による、方法の動作、及びコンピュータ可読メモリ上に具体化されたコンピュータプログラム命令の実行結果を示す論理フロー図である。
【発明を実施するための形態】
【００１７】
本発明の実施形態は、限定するわけではないが、ＬＴＥ及びＬＴＥ−Ａシステムで使用することが特に有利であり、ＵＥがＣＳＩを測定するサブフレームと、この測定したＣＳＩをＵＥがｅＮＢに送信するサブフレームとの間のマッピングに関する。ＬＴＥ／ＬＴＥ−Ａ、及び他のいくつかの無線技術では、どのサブフレームを測定すべきかについてのＵＥに対する指示をネットワークが行い、測定されるサブフレームと、この測定がレポートされるサブフレームとの間のマッピングが存在する。ＵＥ及びネットワークは、恐らく順序は逆であるがいずれも同じマッピングを使用し、従ってこれらの教示の実施形態は、ＵＥ及びｅＮＢの両方に当てはまる。この概念について、ＬＴＥ及び／又はＬＴＥ−Ａを参照しながら説明するが、このような説明は限定ではなく例示にすぎず、これらの教示をＥ−ＵＴＲＡＮ以外の他の通信システムにも容易に拡張することができる。
【００１８】
特に、図１に示す例示的な環境では、多くの場合、ネットワークは、レポートされてくるＣＳＩを、ほとんど空白のサブフレームと、ほとんど空白ではないその他のサブフレームとの間で区別することを好む。最適なスケジューリング及びリンクアダプテーションのためには、どのサブフレームでＣＳＩが測定されるかをネットワークが制御することが有益となる。様々な状況では、ネットワークが、ほとんど空白のサブフレームのＣＳＩを望むことも、或いはその他のサブフレームのＣＳＩを望むこともあるので、本発明の例示的な実施形態は、ｅＮＢがどちらのＣＳＩの測定でもスケジュールできるように十分に柔軟である。
【００１９】
本発明の例示的な実施形態では、ネットワークがＵＥにＣＳＩレポート構成をシグナリングするが、これは周期的ＣＳＩレポート又は非周期的ＣＳＩレポートとすることができる。このＣＳＩレポート構成は、ＵＥの（単複の）ＣＳＩ測定をどの（単複の）サブフレームでレポートすべきかをＵＥに伝えるものである。
【００２０】
これに加えて、ネットワークは、ＵＥがＣＳＩを測定すべきサブフレームを示す「ＣＳＩ測定サブフレーム構成」もＵＥにシグナリングする。この構成も、周期的又は非周期的とすることができ、一例として専用のＲＲＣシグナリングを介して、又は非専用の同報を介してシグナリングすることができる。一例として、周期的ＣＳＩ測定サブフレーム構成は、周期性及びサブフレームオフセットなどのパラメータを含むことができる。一例として、非周期的ＣＳＩ測定サブフレーム構成は、ＵＥがどのサブフレームでＣＳＩを測定すべきかを示すビットマップとすることができる。同様に、周期的ＣＳＩ測定サブフレーム構成を、ＵＥが無線フレームのどの（単複の）サブフレームでＣＳＩを測定すべきかを示すとともに構成が周期的なものであるという指示を含むビットマップとしてシグナリングすることもできる。ある実施形態では、ｅＮＢが、特定のＵＥを同時に複数のＣＳＩ測定サブフレーム構成で構成するための柔軟性を有する。
【００２１】
ＣＳＩレポート構成及びＣＳＩ測定サブフレーム構成に加え、これらのＤＬサブフレームとＵＬサブフレームの間に明確なタイミング関係を与えることにより、所与のＣＳＩ測定サブフレーム構成を特定のＣＳＩレポート構成に結び付けるルールも存在する。特定の実施形態では、このようなルールが以下のように要約される。
・ＵＥは、ＣＳＩ測定サブフレーム構成が示すサブフレームでＣＳＩ測定を行うものとする。
・ＵＥは、以下の条件を満たすＣＳＩ測定サブフレーム構成が示す最新のサブフレーム（サブフレームインデックスが最も大きなサブフレーム）で測定したＣＳＩを、ＣＳＩレポート構成が示すサブフレームでレポートするものとする。
ＮCSI-meas≦ＮCSI-report−ｔproc、
式中
ＮCSI-measは、ＣＳＩ測定サブフレームのインデックスである。
ＮCSI-reportは、ＣＳＩレポートサブフレームのインデックスである。
ｔprocは、ＵＥが測定を処理するのに許された最低処理時間である。
【００２２】
図３Ａのタイミング図は、ＬＴＥリリース８の、ＣＳＩに関するタイミングを示すものである。ＣＳＩ参照リソースは、ＵＥが測定するＤＬサブフレームであり、ＵＥは、この測定したＣＳＩを、常にＤＬ  ＣＳＩ参照リソースの後に４サブフレームの間隔を置いたＵＬサブフレームで送信する。具体的には、ｅＮＢが、サブフレームインデックス＃３から開始して１０番目ごとのサブフレームでＣＳＩを測定するようにＵＥに強要すると仮定する。図３Ａでは、ＵＥは、ＤＬサブフレームインデックス＃３で測定したＣＳＩをＵＬサブフレームインデックス７でレポートし、ＤＬサブフレームインデックス＃１３で測定したＣＳＩをＵＬサブフレームインデックス１７でレポートし、以下同様である。無線標準には、マッピングは常にＵＬ＝ＤＬ＋４と規定されており、ＵＥ及びｅＮＢは、いずれもこの一定のマッピングを認識しているので、ＵＥがいずれのＵＬサブフレームでレポートすべきかについてｅＮＢが特定のシグナリングを行うことはない。４サブフレームの間隙を使用して、ＵＥが、測定したＤＬの結果を処理し、ＵＬで送信するメッセージにこれらをまとめるのに十分な時間を有するようにする。
【００２３】
図３Ｂのタイミング図は、周期的ＣＳＩレポートのための、本発明の例示的な実施形態によるＣＳＩに関するタイミングを示すものである。図３Ｂでは、ｅＮＢが、パラメータ周期性＝３、及びＵＥがＣＳＩを測定する最初のＤＬサブフレームを図３Ｂのインデックス＃０として設定するようなオフセットを有するＣＳＩ測定サブフレーム構成でＵＥを構成すると仮定する。このＣＳＩ測定サブフレーム構成は、図３ＢのＣＳＩ測定サブフレーム構成の行に陰影を付けて示すように、サブフレームインデックス０、３、６、９、１２などをこのＵＥのＣＳＩ測定サブフレームとして指定する。さらに図３Ｂでは、ｅＮＢが、パラメータ周期性＝１０、及びＵＥがＣＳＩをレポートする最初のＵＬサブフレームを図３Ｂのインデックス＃７として設定するようなオフセットを有するＣＳＩレポート構成でＵＥを構成すると仮定する。さらに、上記のルールの処理遅延ｔｐｒｏｃが３又は４サブフレームであると仮定した場合、このＵＥのＣＳＩレポートのために指定されるＵＬサブフレームは、図３ＢのＣＳＩレポート構成の行に陰影を付けて示すように、サブフレームインデックス７、１７、２７などになる。
【００２４】
上述した例示的なルールにより、ＵＥは、図３ＢのＣＳＩ測定の行に陰影を付けたサブフレームで測定したＣＳＩのみを、指定されたＵＬサブフレームでレポートする。具体的には、このＵＥは、ＤＬサブフレームインデックス＃３で測定したＣＳＩをＵＬサブフレームインデックス７でレポートし、ＤＬサブフレームインデックス＃１２で測定したＣＳＩをＵＬサブフレームインデックス１７でレポートし、ＤＬサブフレームインデックス＃２１で測定したＣＳＩをＵＬサブフレームインデックス２７でレポートする。指定されたＣＳＩ測定サブフレーム０、６、９、１５、１８及び２４は、上記の例示的なルールに示す基準を満たしておらず、１つの例示的な実施形態では、ＵＥがこのルール及びＵＬレポートサブフレームを前もって認識しているので、ＵＥは、これらのサブフレームでＣＳＩを測定する必要もない。別の例示的な実施形態では、これらの教示に従ってＵＥの挙動を命令する無線標準が、ともかくこれらのサブフレームでＣＳＩを測定するようにＵＥに求める（例えば、ＵＥが、ＣＳＩ測定サブフレーム構成により指定される全てのサブフレームでＣＳＩを測定するように指示される）ことがある。これは、ｅＮＢが新たな（非周期的）ＣＳＩレポート構成を送信することにより、これらの他のサブフレームの１つからのＣＳＩのレポートがトリガされる場合に備えるものである。
【００２５】
ｅＮＢは、このＣＳＩ測定サブフレーム構成及び周期的ＣＳＩレポート構成を使用してＵＥに、ほとんど空白のサブフレームのみを、又はその他のサブフレームを、又はこれらの何らかの組み合わせを測定し、ｅＮＢ／ネットワークがそのニーズを満たすと考えるような別個のレポート事例でレポートを行うように強要することができる。
【００２６】
非周期的レポートの実施形態は、シグナリングされた構成からの測定及びレポートが繰り返されないことを除き、上述した定期レポートの例と同様である。周期的レポートの例で上述したように、ＵＥは、ｅＮＢが万が一非周期的ＣＳＩレポート要求を送信した場合に備えて、非周期的ＣＳＩレポート構成よりも前にＣＳＩ測定を行うことができる。
【００２７】
例示的な非周期的な実施形態では、ＬＴＥリリース８／９の非周期的ＣＳＩレポートの定義を拡張して、ＨｅＮＢがほとんどミュートされている期間中、又はその他のサブフレーム中に測定されるＣＳＩをネットワークが要求できるようにすることができる。このことは、ｅＮＢが非周期的な（スケジュールされた）ＣＳＩを要求する際には、この場合ＵＬリソースのＰＤＣＣＨグラントを介して送信される要求が、レポートがいずれのＣＳＩ測定サブフレーム構成に対応すべきかに関する情報を含むべきであることを暗示する。
【００２８】
例示的な実施形態では、ＵＥ及びマクロｅＮＢの両方が、所与の時点にこの特定のＵＥにとって有効なルール及び測定及びレポート構成を各自のローカルメモリに記憶しているので、このＵＥ及びマクロｅＮＢは、いずれも本発明の態様を実装する。特定の実装には、上記の例のように、１つのＤＬ測定サブフレームを唯一のＵＬレポートサブフレームにマッピングするルールがある。これらの特定の実施形態では、マクロｅＮＢ１２が、唯一のＤＬサブフレームのＣＳＩが唯一のＵＬサブフレームでレポートされるようにすることにより、ほとんど空白のサブフレームで測定されたＣＳＩをその他のサブフレームで測定されたＣＳＩと分けるので、これらの例示的な実施形態では、マッピングを行わないＤＬ測定サブフレームを使用して結果を平均化し、これをその後にレポートする。他の実装では、上記の特定の例とは異なり、事例の選択において平均化を使用することができる。
【００２９】
１つの技術的効果として、上記で詳述した例示的な実施形態では、ネットワークが、それぞれのＤＬチャネル品質のより正確な視点に基づいてマクロＵＥの適切なスケジューリングを容易にすることにより、ＴＤＭ  ｅＩＣＩＣを十分に活用できるようになる点が挙げられる。これらの例示的な実施形態のようにＣＳＩリソース固有のサブフレーム構成を有することについての別の技術的効果は、ＨｅＮＢがミュートされているサブフレーム中にのみスケジュールされているようにマクロＵＥを制限しなければならないかどうか、或いは他のサブフレームでスケジュールすることも可能であるかどうかをマクロｅＮＢがより正確に推定できるようになる点である。この技術的効果は、マクロｅＮＢがこのマクロＵＥの地理的位置を知らない場合にもある。
【００３０】
ここで、本発明の例示的な実施形態の実施において使用するのに適した様々な電子装置の簡略ブロック図を示す図４を参照する。図４では、無線ネットワーク１が、ノードＢ（例えば、基地局又はマクロｅＮＢ）１２を介してＵＥ１０と通信するようになっている。ネットワーク１は、ゲートウェイＧＷ１４として大まかに示す上位制御ノードを含むことができ、このＧＷ１４は、無線ネットワークコントローラＲＮＣ、モビリティ管理エンティティＭＭＥ、又はシステムアーキテクチャエボリューションゲートウェイＳＡＥ−ＧＷと様々に呼ぶことができる。ＧＷ１４は、ネットワーク内でｅＮＢ１２よりも上位のノードを表し、いくつかの実施形態では、ｅＮＢ１２がＵＥ１０から受け取った何らかのＣＳＩ情報をＧＷ１４に転送することがある場合を除き、本明細書で詳述するシグナリングは、このＧＷ１４とは無関係である。
【００３１】
ＵＥ１０は、データプロセッサ（ＤＰ）１０Ａと、プログラム（ＰＲＯＧ）１０Ｃを記憶するメモリ（ＭＥＭ）１０Ｂと、ｅＮＢ１２と双方向無線通信するための好適な無線周波数（ＲＦ）送信機及び受信機１０Ｄとを含み、ｅＮＢ１２も、ＤＰ１２Ａと、ＰＲＯＧ１２Ｃを記憶するＭＥＭ１２Ｂと、好適なＲＦ送信機及び受信機１２Ｄとを含む。ｅＮＢ１２は、データパス１３（例えば、Ｉｕｂ又はＳ１）を介してサービング又はその他のＧＷ１４に結合することができる。ｅＮＢ１２とＵＥ１０は、各々が１又はそれ以上のアンテナ（それぞれ１つのアンテナを図示）を使用して、無線リンク１１を介して通信する。ある実施形態では、無線リンク１１が、ＰＤＣＣＨなどの物理ダウンリンク制御チャネルであり、アップリンクが、ＰＵＳＣＨなどの物理アップリンク共有チャネルである。以下でより詳細に説明するように、ＰＲＯＧ１０Ｃ及び１２Ｃの少なくとも一方は、関連するＤＰによる実行時に電子装置が本発明の例示的な実施形態に従って動作できるようにするプログラム命令を含むと仮定される。
【００３２】
ＵＥ内には、ＤＰ１０Ａとは別に又はその内部にサブフレームマッパー１０Ｅが存在し、このサブフレームマッパー１０Ｅは、ＭＥＭ１０Ｂに記憶されたルール及び構成を使用して、ＵＥがＣＳＩを測定するＤＬサブフレームを、ＵＥがこの測定したＣＳＩをレポートするＵＬサブフレームにマッピングする。ｅＮＢ１２内にも、ＤＰ１２Ａとは別に又はその内部にサブフレームマッパー１２Ｅが存在し、このサブフレームマッパー１２Ｅは、ＭＥＭ１２Ｂ内に記憶されたルール及び構成を使用して、上述した測定するＤＬサブフレームとレポートするＵＬサブフレームの間のマッピングを行う。さらに、各装置１０、１２、１４内にはモデムが存在し、ＵＥ１０及びｅＮＢ１２では、このようなモデムがそれぞれの送信機／受信機１０Ｄ、１２Ｄ内に具体化され、またデータリンク１３を介したｅＮＢ１２とＧＷ１４の間の通信のために、それぞれのｅＮＢ１２及びＧＷ１４のＤＰ１２Ａ、１４Ａ内にも具体化される。
【００３３】
「接続された（ｃｏｎｎｅｃｔｅｄ）」、「結合された（ｃｏｕｐｌｅｄ）」という用語、又はこれらのあらゆる変形は、直接的、間接的を問わず、２又はそれ以上の要素間のあらゆる接続又は結合を意味し、ともに「接続された」又は「結合された」２つの要素間における１又はそれ以上の中間要素の存在を含むことができる。要素間の結合又は接続は、物理的なもの、論理的なもの、又はこれらの組み合わせとすることができる。本明細書で使用する場合、１又はそれ以上のワイヤ、ケーブル、及びプリント電気接続部を使用して、並びに非限定的な例として、高周波領域、マイクロ波領域及び光学（可視、不可視の両方）領域内に波長を有する電磁エネルギーなどの電磁エネルギーを使用して、２つの要素がともに「接続」又は「結合」されると考えることができる。
【００３４】
ＰＲＯＧ１０Ｃ、１２Ｃ及び１４Ｃの少なくとも１つは、関連するＤＰによる実行時に電子装置が本発明の例示的な実施形態に従って動作できるようにするプログラム命令を含むと仮定される。ＤＰ１０Ａ、１２Ａには、求められる適当な時間間隔及び時間帯内で送受信を行えるように様々な装置間の同期を可能にするためのクロックが元々備わっている。
【００３５】
一般に、本発明の例示的な実施形態は、それぞれのメモリＭＥＭ１０Ｂ、１２Ｂ、１４Ｃ上に具体化されたコンピュータソフトウェアＰＲＯＧ１０Ｃ、１２Ｃ、１４Ｃによって実装することができ、ＵＥ１０、ｅＮＢ１２、及びＧＷ１４のそれぞれのＤＰ１０Ａ、１２Ａ、１４Ａによって、又はハードウェアによって、又はソフトウェア及び／又はファームウェア及びハードウェアの組み合わせによって実行することができる。
【００３６】
一般に、ＵＥ１０の様々な実施形態として、以下に限定されるわけではないが、携帯電話機、無線通信能力を有する携帯情報端末（ＰＤＡ）、無線通信能力を有するポータブルコンピュータ、無線通信能力を有するデジタルカメラなどの画像取込装置、無線通信能力を有するゲーム装置、無線通信能力を有する音楽ストレージ及び再生機器、無線インターネット接続及びブラウジングを可能にするインターネット機器、並びにこのような機能の組み合わせを組み込んだポータブルユニット又は端末を挙げることができる。
【００３７】
ＭＥＭ１０Ｂ及び１２Ｂは、ローカル技術環境に適したいずれの種類のものであってもよく、半導体ベースのメモリ装置、磁気記憶装置及びシステム、光学記憶装置及びシステム、固定記憶装置及び取り外し可能記憶装置などのあらゆる適当なデータストレージ技術を使用して実装することができる。ＤＰ１０Ａ及び１２Ａは、ローカル技術環境に適したいずれの種類のものであってもよく、また非限定的な例として、１又はそれ以上の汎用コンピュータ、専用コンピュータ、マイクロプロセッサ、デジタル信号プロセッサ（ＤＳＰ）、及びマルチコアプロセッサアーキテクチャに基づくプロセッサを含むことができる。
【００３８】
ネットワーク／ｅＮＢに関する本発明の態様では、図示のプロセッサ１２ＡなどのＮｏｄｅ  Ｂ１２のデータプロセッサによって実行可能なコンピュータソフトウェアにより、又はハードウェアにより、又はソフトウェアとハードウェアの組み合わせにより本発明の実施形態を実装することができる。ＵＥに関する本発明の態様では、図示のプロセッサ１０ＡなどのＵＥ１０のデータプロセッサによって実行可能なコンピュータソフトウェアにより、又はハードウェアにより、又はソフトウェアとハードウェアとの組み合わせにより本発明の実施形態を実装することができる。さらに、この点については、上記の及び以下の図５における様々な論理ステップの記述が、プログラムステップ、又は相互接続された論理回路、ブロック及び機能、或いはプログラムステップと論理回路の組み合わせ、ブロックと機能の組み合わせを表すことができる点に留意されたい。
【００３９】
以下、特に図５を参照しながら、さらなる詳細及び実装について説明する。本発明の例示的な実施形態は、方法と、プロセッサ、メモリ、送信機及び受信機を含む装置と、コンピュータプログラムを具体化するメモリとを含み、ブロック５０２において、測定すべき少なくとも１つのサブフレームを示す測定構成と、レポートを行うべき少なくとも１つのサブフレームを示すレポート構成との間のタイミング関係を指定するルールをローカルメモリに記憶し、ブロック５０４において、このルールを使用して、チャネル状態情報が測定されるダウンリンクサブフレームと、チャネル状態情報のレポートが行われるアップリンクサブフレームとの間のマッピングを行う。
【００４０】
図５には、点線により任意のブロックを示している。ブロック５０６には、無線シグナリングを使用して、ユーザ装置のために測定構成及びレポート構成が構成されることを示す。ブロック５０８には、専用無線シグナリング又は同報シグナリングを介して、ユーザ装置のために少なくとも測定構成を構成する２つの異なるオプションを示す。
【００４１】
ブロック５１０は、上記の特定の例に由来し、測定構成が、周期的であるとともに、測定すべき複数のダウンリンクサブフレームを示し、ルールを使用してダウンリンクサブフレームとアップリンクサブフレームの間のマッピングを行うことにより、１つのダウンリンクサブフレーム対１つのアップリンクサブフレームという１対１のマッピングが生じ、複数のダウンリンクサブフレームの一部がアップリンクサブフレームにマッピングされる。ブロック５１２にブロック５１０の代替例を示しており、この例では、少なくとも測定構成が、非周期的であるとともに、測定すべき単一のダウンリンクサブフレームを示す。周期的又は非周期的のいずれにせよ、ブロック５１４には、ブロック５０２の測定構成が、複数のサブフレームのどの（単複の）サブフレームを測定すべきかを示すビットマップとしてＵＥにシグナリングされる特定の実施形態を示す。一例として、このビットマップは、無線フレームのどの（単複の）サブフレームを測定すべきかを示すことができる。ＬＴＥでは、１つの無線フレーム内に１０個のサブフレームが存在する。
【００４２】
なお、ブロック５０２及び５０４は、ネットワークアクセスノードであるマクロｅＮＢによって実行することができ、このマクロｅＮＢが、ＵＥに測定構成及びレポート構成を送信し、ユーザ装置からチャネル状態情報が受け取られるアップリンクサブフレームと、測定構成によって示されるダウンリンクサブフレームとの間のマッピングを行うことにより、ブロック５０４におけるルールを使用する。別の実施形態では、ブロック５０２及び５０４がユーザ装置によって実行され、このユーザ装置が、ネットワークから測定構成及びレポート構成を受け取り、測定構成によって示される、ユーザ装置がチャネル状態情報を測定するダウンリンクサブフレームと、この測定したチャネル状態情報をユーザ装置がネットワークにレポートするアップリンクサブフレームとの間のマッピングを行うことによってブロック５０４のルールを使用する。
【００４３】
本発明の実施形態は、少なくとも１つのプロセッサと、コンピュータプログラムコード、及び測定すべき少なくとも１つのサブフレームを示す測定構成とレポートを行うべき少なくとも１つのサブフレームを示すレポート構成との間のタイミング関係を指定するルールを含む少なくとも１つのメモリとを備えた装置とすることができる。このような実施形態では、少なくとも１つのメモリ及びコンピュータプログラムコードが、少なくとも１つのプロセッサによって装置に、このルールを使用して、チャネル状態情報が測定されるダウンリンクサブフレームと、チャネル状態情報のレポートが行われるアップリンクサブフレームとの間のマッピングを行わせるように構成される。このような装置を、ブロック５における任意のステップを行うように構成することもできる。
【００４４】
別の実施形態は、測定すべき少なくとも１つのサブフレームを示す測定構成とレポートを行うべき少なくとも１つのサブフレームを示すレポート構成との間のタイミング関係を指定するルールを記憶するための記憶手段と、このルールを使用して、チャネル状態情報が測定されるダウンリンクサブフレームとチャネル状態情報のレポートが行われるアップリンクサブフレームとの間のマッピングを行うための処理手段とを備えた装置である。このような装置を、ブロック５における任意のステップを行うように構成することもできる。
【００４５】
一般に、様々な例示的な実施形態は、ハードウェア又は専用回路、ソフトウェア、ロジック、又はこれらのあらゆる組み合わせで実施することができる。従って、本発明の例示的な実施形態の少なくともいくつかの態様を、集積回路チップ及びモジュールなどの様々な構成要素の形で実施できると理解されたい。
【００４６】
上記の説明を添付図面及び添付の特許請求の範囲と併せて読めば、当業者には様々な修正及び適応が明らかになるであろう。例えば、図３に示すいくつかのステップを、図示の順序以外の順序で実行することもでき、記載した計算のいくつかを別の方法で実行することもできる。しかしながら、本発明の教示の全てのこのような及び同様の変更も本発明の範囲に含まれる。
【００４７】
なお、「接続された（ｃｏｎｎｅｃｔｅｄ）」、「結合された（ｃｏｕｐｌｅｄ）」という用語、又はこれらのあらゆる変形は、直接的、間接的を問わず、２又はそれ以上の要素間のあらゆる接続又は結合を意味し、ともに「接続された」又は「結合された」２つの要素間における１又はそれ以上の中間要素の存在を含むことができる。要素間の結合又は接続は、物理的なもの、論理的なもの、又はこれらの組み合わせとすることができる。本明細書で使用する場合、１又はそれ以上のワイヤ、ケーブル、及び／又はプリント電気接続部を使用して、並びにいくつかの非限定的かつ非包括的な例として、高周波領域、マイクロ波領域及び光学（可視、不可視の両方）領域内に波長を有する電磁エネルギーなどの電磁エネルギーを使用して、２つの要素がともに「接続」又は「結合」されると考えることができる。
【００４８】
さらに、本発明の例の特徴のいくつかを使用して、他の機能を対応して使用せずに利点を得ることもできる。従って、上記の説明は、本発明の原理、教示、例及び例示的な実施形態を示すものにすぎず、これらの限定ではないと見なすべきである。
【図１】
2013545341.tif 000003
【図４】
2013545341.tif 000004
【図５】
2013545341.tif 000005
【図２】
2013545341.tif 000006
【図３Ａ−Ｂ】
2013545341.tif 000007
【国際調査報告】
2013545341.tif 000008
2013545341.tif 000009
2013545341.tif 000010